(57)【要約】【課題】録音が確実に実行されているか、また、現在、本体側マイクと外部マイクのいずれが有効に働いているかをユーザーに確実に認識せることができる音声入力装置を提供すること。【解決手段】音声入力装置であるこのＩＣレコーダ２０は、外部マイクとしてのリモコンマイク３２とリモコン側ＬＥＤ３３を有するリモコンマイク装置３０が接続可能であり、ＩＣレコーダ２０には、内蔵マイク１と、内蔵マイク１、または、リモコンマイク３２の出力ラインが接続される切り替えスイッチ１７と、リモコンマイク装置３０が接続される外部ジャック１６と、本体側ＬＥＤ７が備えられている。リモコンマイク３２未接続状態では、本体側ＬＥＤ７が点灯し、内蔵マイク１による音声記録が行われる。リモコンマイク３２接続状態では、リモコン側ＬＥＤ３３が点灯し、リモコンマイク３２による音声記録が行われる。【選択図】  図１
2004312637.tif 000002
【特許請求の範囲】
【請求項１】
音声入力装置の本体に設けられた内蔵マイクと、
外部マイクを接続する接続部と、
上記内蔵マイク、または、上記接続部に接続された外部マイクのうちの一方を選択する選択手段と、
上記選択手段により上記内蔵マイク、または上記外部マイクのどちらが選択されたのかを示す表示を行う表示手段と、
を具備することを特徴とする音声入力装置。
【請求項２】
上記表示手段は、上記選択手段によって上記内蔵マイクが選択された場合には、上記本体に設けられた第１のインジケータを作動させ、上記選択手段によって上記外部マイクが選択された場合には、上記外部マイクに設けられた第２のインジケータを作動させることを特徴とする請求項１に記載の音声入力装置。
【請求項３】
上記表示手段は、上記接続部に外部マイクが接続されたことを検出した場合には、上記第２のインジケータを所定時間作動させることを特徴とする請求項２に記載の音声入力装置。
【請求項４】
上記表示手段は、上記接続部への外部マイクの接続が解除されたことを検出した場合には、上記第１のインジケータを所定時間作動させることを特徴とする請求項２に記載の音声入力装置。
【請求項５】
さらに、上記内蔵マイクあるいは上記外部マイクから入力された音声信号を記録媒体に記録する記録手段と、
上記音声信号の記録開始を指示する指示手段と、
を具備しており、上記表示手段は、上記指示手段により音声信号の記録開始が指示されたときに、上記選択手段によって上記内蔵マイクが選択されている場合には上記第１のインジケータを作動させ、上記指示手段により音声信号の記録開始が指示されたときに、上記選択手段によって上記外部マイクが選択されている場合には上記第２のインジケータを作動させることを特徴とする請求項２に記載の音声入力装置。
【請求項６】
上記記録手段は、上記選択手段によって上記外部マイクが選択され、かつ上記記録が行われているときに、上記接続部への上記外部マイクの接続が解除された場合には、上記記録を停止することを特徴とする請求項５に記載の音声入力装置。
【請求項７】
さらに、上記外部マイクからの制御信号を受信する受信手段を具備しており、上記記録手段は、上記指示手段により記録開始が指示されたとき、または、上記受信手段により上記外部マイクから記録開始を指示する制御信号を受信したときに上記記録を開始することを特徴とする請求項５に記載の音声入力装置。
【請求項８】
上記選択手段は、上記外部マイクが上記接続部に接続されている場合には自動的に上記外部マイクを選択することを特徴とする請求項１に記載の音声入力装置。
【請求項９】
上記選択手段は、上記外部マイクの上記接続部への接続が解除された場合には自動的に上記内部マイクを選択することを特徴とする請求項８に記載の音声入力装置。
【請求項１０】
さらに、上記内蔵マイクあるいは上記外部マイクから入力された音声信号を記録媒体に記録する記録手段と、
上記記録が開始されたときの上記選択手段の選択結果を保持する保持手段と、
を具備しており、上記選択手段は、上記記録手段による記録中に上記接続部に上記外部マイクが接続された場合に、上記保持手段に保持される上記選択結果が上記記録開始時に外部マイクが使用されていたことを示す内容であった場合には上記外部マイクを選択し、上記保持手段に保持される上記選択結果が上記記録開始時に内蔵マイクが使用されていたことを示す内容であった場合には上記内蔵マイクを選択することを特徴とする請求項９に記載の音声入力装置。
【請求項１１】
音声入力装置の本体に設けられた内蔵マイクと、
外部マイクを接続する接続部と、
上記内蔵マイク、または、上記接続部に接続された外部マイクのうちの一方を選択する選択手段と、
上記選択手段によって選択された上記内蔵マイク、あるいは上記外部マイクから入力される音声信号を記録媒体に記録する記録手段と、
音声入力装置の動作状態の情報を文字あるいは記号を用いて表示するとともに、上記記録手段により記録を行っている間は、記録中であることの表示を行う情報表示装置と、
上記情報表示装置とは別に配置され、上記内蔵マイクを用いて上記記録を行っているときのみ、記録中であることを示す表示を行う、該音声入力装置本体に設けられたインジケータと、
を具備することを特徴とする音声入力装置。
【請求項１２】
さらに、上記記録手段によって、上記外部マイクから入力される音声信号の記録が行われているときは、上記外部マイクに設けられたインジケータを作動させるように制御する制御手段を具備することを特徴とする請求項１１に記載の音声入力装置。
【発明の詳細な説明】
【０００１】
【発明の属する技術分野】
本発明は、外部マイクが接続可能な音声入力装置に関する。
【０００２】
【従来の技術】
従来、特開２００２−１７６４０４号公報に開示された放送装置は、複数のリモコンマイクと複数の放送エリアに配置されるスピーカー部と音声入出力制御を行うセンタユニットとを有する業務用放送装置に関する提案である。この業務用放送装置においては、リモコンマイクから入力された音声は、センタユニットを介して所望の放送エリアに設置されたスピーカにより放送が行われる。上記リモコンマイクには、ＬＥＤやＬＣＤよりなる表示部を備えており、その表示部に目的とする放送エリアでの放送が可能であるかどうかの表示がなされる。また、表示部とは別にモニタスピーカを介して放送状態をモニタすることも可能である。
【０００３】
【発明が解決しようとする課題】
しかしながら、上述した特開２００２−１７６４０４号公報に開示された業務用放送装置では、複数のマイクを使用するような状態のもとで現在の音声出力をチェックして所望とするエリアでの放送が可能かどうかを確認するものであって、音声録音が確実に行える状態であるかどうかの表示を行うものではない。また、複数のマイクの内のどのマイクが現在録音可能であるかどうかをユーザーに知らせるものでもない。
【０００４】
本発明の目的は上記事情に鑑みてなされたものであって、録音が確実に実行されているか、また、本体側マイクと外部マイクのいずれが有効に働いているかをユーザーに認識せることができる音声入力装置を提供することを目的とする。
【０００５】
【課題を解決するための手段】
本発明の請求項１に記載の音声入力装置は、音声入力装置の本体に設けられた内蔵マイクと、外部マイクを接続する接続部と、上記内蔵マイク、または、上記接続部に接続された外部マイクのうちの一方を選択する選択手段と、上記選択手段により上記内蔵マイク、または上記外部マイクのどちらが選択されたのかを示す表示を行う表示手段とを具備しており、上記選択手段により選択された内蔵マイク、または、リモコンマイクのいずれかの音声信号が入力され、上記表示手段により選択された側の表示がなされる。
【０００６】
本発明の請求項２に記載の音声入力装置は、請求項１に記載の音声入力装置において、上記表示手段は、上記選択手段によって上記内蔵マイクが選択された場合には、上記本体に設けられた第１のインジケータを作動させ、上記選択手段によって上記外部マイクが選択された場合には、上記外部マイクに設けられた第２のインジケータを作動させる。
【０００７】
。
【０００８】
本発明の請求項３に記載の音声入力装置は、請求項２に記載の音声入力装置において、上記表示手段は、上記接続部に外部マイクが接続されたことを検出した場合には、上記第２のインジケータを所定時間作動させる。
【０００９】
本発明の請求項４に記載の音声入力装置は、請求項２に記載の音声入力装置において、上記表示手段は、上記接続部への外部マイクの接続が解除されたことを検出した場合には、上記第１のインジケータを所定時間作動させる。
【００１０】
本発明の請求項５に記載の音声入力装置は、請求項２に記載の音声入力装置において、さらに、上記内蔵マイクあるいは上記外部マイクから入力された音声信号を記録媒体に記録する記録手段と、上記音声信号の記録開始を指示する指示手段と、を具備しており、上記表示手段は、上記指示手段により音声信号の記録開始が指示されたときに、上記選択手段によって上記内蔵マイクが選択されている場合には上記第１のインジケータを作動させ、上記指示手段により音声信号の記録開始が指示されたときに、上記選択手段によって上記外部マイクが選択されている場合には上記第２のインジケータを作動させる。
【００１１】
本発明の請求項６に記載の音声入力装置は、請求項５に記載の音声入力装置において、上記記録手段は、上記選択手段によって上記外部マイクが選択され、かつ上記記録が行われているときに、上記接続部への上記外部マイクの接続が解除された場合には、上記記録を停止する。
【００１２】
本発明の請求項７に記載の音声入力装置は、請求項５に記載の音声入力装置において、さらに、上記外部マイクからの制御信号を受信する受信手段を具備しており、上記記録手段は、上記指示手段により記録開始が指示されたとき、または、上記受信手段により上記外部マイクから記録開始を指示する制御信号を受信したときに上記記録を開始する。
【００１３】
本発明の請求項８に記載の音声入力装置は、請求項１に記載の音声入力装置において、上記選択手段は、上記外部マイクが上記接続部に接続されている場合には自動的に上記外部マイクを選択する。
【００１４】
本発明の請求項９に記載の音声入力装置は、請求項８に記載の音声入力装置において、上記選択手段は、上記外部マイクの上記接続部への接続が解除された場合には自動的に上記内部マイクを選択する。
【００１５】
本発明の請求項１０に記載の音声入力装置は、請求項９に記載の音声入力装置において、さらに、上記内蔵マイクあるいは上記外部マイクから入力された音声信号を記録媒体に記録する記録手段と、上記記録が開始されたときの上記選択手段の選択結果を保持する保持手段とを具備しており、上記選択手段は、上記記録手段による記録中に上記接続部に上記外部マイクが接続された場合に、上記保持手段に保持される上記選択結果が上記記録開始時に外部マイクが使用されていたことを示す内容であった場合には上記外部マイクを選択し、上記保持手段に保持される上記選択結果が上記記録開始時に内蔵マイクが使用されていたことを示す内容であった場合には上記内蔵マイクを選択する。
【００１６】
本発明の請求項１１に記載の音声入力装置は、音声入力装置の本体に設けられた内蔵マイクと、外部マイクを接続する接続部と、上記内蔵マイク、または、上記接続部に接続された外部マイクのうちの一方を選択する選択手段と、上記選択手段によって選択された上記内蔵マイク、あるいは、上記外部マイクから入力される音声信号を記録媒体に記録する記録手段と、音声入力装置の動作状態の情報を文字あるいは記号を用いて表示するとともに、上記記録手段により記録を行っている間は記録中を示す表示を行う情報表示装置と、上記情報表示装置とは別に配置され、上記内蔵マイクを用いて上記記録を行っているときのみ、記録中であることを示す表示を行う、該音声入力装置本体に設けられたインジケータとを具備しており、上記選択手段によって選択された上記内蔵マイク、あるいは、上記外部マイクから入力される音声信号を記録中であることが上記情報表示装置に表示され、また、上記内蔵マイクを用いて上記記録を行っているときのみ、上記インジケータに記録中であること表示する。
【００１７】
本発明の請求項１２に記載の音声入力装置は、請求項１１に記載の音声入力装置において、さらに、上記記録手段によって、上記外部マイクから入力される音声信号の記録が行われているときは、上記外部マイクに設けられたインジケータを作動させるように制御する制御手段を具備する。
【００１８】
【発明の実施の形態】
以下、本発明の実施の形態を、図を用いて説明する。
図１は、本発明の第１の実施形態である音声入力装置としてのＩＣレコーダのブロック構成図である。
【００１９】
ＩＣレコーダ２０は、図１に示すように、後述する各構成部材が収納されるレコーダ本体２１を有しており、該レコーダ本体２１には、外部マイク装置であるリモコンマイク装置３０が接続コードを介して着脱可能である。
【００２０】
このＩＣレコーダ２０は、レコーダ本体２１に収納される構成部材として、本ＩＣレコーダ２０の全体の制御および外部マイク装置３０の制御を司るＣＰＵを有してなる制御手段であるシステム制御部６と、記録、または、再生時の音声信号処理を行うデジタル信号処理部（ＤＳＰ）５と、レコーダ本体２１に内蔵される内蔵マイク（内蔵マイクロフォン，ＭＩＣ）１と、内蔵マイク１、または、後述するリモコンマイク３２のいずれかを選択するための選択手段である切り替えスイッチ１７と、マイクの音声出力信号を増幅するマイクアンプ（ＡＭＰ）２と、入力側ローパスフィルタであるＬＰＦ４と、Ａ／Ｄコンバータ４と、Ｄ／Ａコンバータ１２と、再生側ローパスフィルタであるＬＰＦ４と、再生音声信号を増幅するパワーアンプ（ＡＭＰ）１４と、スピーカ１５と、ＬＣＤ表示器１０と、ＬＣＤ表示器１０を駆動するＬＣＤ駆動回路９と、内蔵マイク１が選択された場合に作動する第１のインジケータとしての本体側ＬＥＤ７と、半導体メモリで形成される記録媒体８と、操作スイッチ群１１と、外部マイク装置であるリモコンマイク装置３０が接続コード３４を介して接続可能な接続部である外部ジャック１６を有してなる。
【００２１】
リモコンマイク装置３０は、リモコンマイク制御部３１と、外部マイクであるリモコンマイク（リモコントロールマイクロフォン）３２と、該リモコンマイク３２が選択された場合にシステム制御部６の指示によりリモコンマイク制御部３１を介して作動される第２のインジケータのリモコン側ＬＥＤ３３と、リモコンマイク３２の音声出力信号をＩＣレコーダ本体２１側に接続するための接続コードとを有してなる。
【００２２】
ＩＣレコーダ２０において、マイクロフォン１の出力端は、切り替えスイッチ１７の一方の接点に接続される。切り替えスイッチ１７のコモン側は、マイクアンプ２の入力端に接続されており、マイクアンプ２の出力端は、ＬＰＦ３の入力端に接続される。さらにＬＰＦ３の出力端は、Ａ／Ｄコンバータ４の入力端に接続されている。
【００２３】
Ａ／Ｄコンバータ４の出力端は、デジタル信号処理部５の入力端に接続され、デジタル信号処理部５の出力端は、Ｄ／Ａコンバータ１２の入力端に接続されている。
【００２４】
Ｄ／Ａコンバータ１２の出力端は、ＬＰＦ１３の入力端に接続され、ＬＰＦ１３の出力端は、パワーアンプ１４の入力端に接続され、さらに、パワーアンプ１４の出力端は、スピーカ１５の入力端に接続されている。
【００２５】
内蔵マイク１は、音声を電気信号に変換する。マイクアンプ２は、内蔵マイク１、または、リモコンマイク３２からの電気信号を増幅する。また、ＬＰＦ３、または、１３は、ノイズの発生を防止するために不要な周波数帯域をカットする。さらにＡ／Ｄコンバータ４は、入力される音声信号（アナログ信号）をデジタル信号に変換する。
【００２６】
デジタル信号処理部５は、システム制御部６に制御され、録音時には前記Ａ／コンバータ４でデジタル信号に変換された音声信号の符号化処理を行い、また、再生時には符号化された音声データの復号化処理を行って、該音声データを前記Ｄ／Ａコンバータ１２に出力する。
【００２７】
Ｄ／Ａコンバータ１２は、入力されるデジタル信号をアナログ信号に変換する。パワーアンプ１４は、音声信号を増幅し、スピーカ１５は、この音声信号を音声に変換して放音する。
【００２８】
システム制御部６には記録媒体８と、ＬＣＤ駆動回路９と、ＬＣＤ表示器１０と、操作スイッチ群１１との制御信号線が接続され、さらに、外部ジャック１６の接続状態を示す接続状態検出信号線、および、切り替えスイッチ１７を切り変え制御するための切り替え信号線等が接続されている。そして、システム制御部６は、音声記録のための記録手段，再生するための再生手段等の他に切り替えスイッチ１７を切り替えることによって本体側内蔵マイク１の出力を取り込むか、リモコンマイク３２の出力を取り込むかを制御する選択制御手段（選択手段）を内蔵している。さらに、システム制御部６は、外部ジャック１６を介してリモコンマイク３２からの制御信号を受信する受信手段を内蔵し、上記受信手段の受信信号に基づいてリモコンマイク３２からの音声信号の記録開始を指示する指示手段を内蔵する。またさらに、内蔵マイク１の出力を記録するか、リモコンマイク３２の出力を記録するかを表示するための第１のインジケータである本体側ＬＥＤ７と第２のインジケータであるリモコン側ＬＥＤ３３の点灯状態を制御する表示制御手段（表示手段）を内蔵している。
【００２９】
記録媒体８には、音声データの他に例えば、ユーザーＩＤ、録音モードの選択設定、ＢＥＥＰ音の選択設定、音声起動録音の選択設定、データの再生位置等、システム制御部６に電源が供給されなくなっても記憶しておきたい各種設定、パラメータ等がシステム制御部６を介してその制御のもとで記録される。
【００３０】
ＬＣＤ表示器１０は、システム制御部６を介して駆動制御されるＬＣＤ駆動回路９により操作スイッチ群１１のいずれかのスイッチ操作により、所定のシーケンス動作を開始したときのレコーダの動作状態の情報を文字、または、記号を用いて表示し、また、記録を行っている間は、記録中であることの表示を行う。
【００３１】
操作スイッチ群１１は、各種機能を制御するための操作スイッチ群であり、レコーダの外装部に設けられる各対応操作釦の操作によりオンオフされる録音スイッチ（ＲＥＣ  ＳＷ），再生スイッチ（ＰＬＡＹ  ＳＷ），停止スイッチ（ＳＴＯＰ  ＳＷ），早送りスイッチ（ＦＦ  ＳＷ），早戻しスイッチ（ＲＥＷ  ＳＷ），メニュースイッチ（ＭＥＮＵ  ＳＷ）を有してなる。また、これらのスイッチを用いることによって、使用者がレコーダ使用時に任意のユーザーＩＤコードを入力し、設定することができる。
【００３２】
上記ユーザーＩＤコードは、初期設定時には、システム制御部６に内蔵される、図示しない固定情報記憶部に任意のＩＤコードが設定されている。そして、この初期設定時に記憶されている任意のユーザーＩＤコード、あるいは、操作スイッチ群１１によって設定される任意のユーザーＩＤコードは、システム制御部６に制御され、記録媒体８に記録されるようになっている。
【００３３】
また、外部ジャック１６には、リモコンマイク装置３０の接続コード３４が接続可能であるが、その接続コード３４の接続状態を示す信号は、システム制御部６に取り込まれる。システム制御部６の選択制御手段により接続コード３４の接続状態、あるいは、マイク選択状態に基づいて、後述するように切り替えスイッチ１７の切り替えを行い、内蔵マイク１からの音声信号、あるいは、リモコンマイク３２からの音声信号のいずれが一方が選択され、後段の音声処理がなされる。
【００３４】
さらに、ＩＣレコーダ２０側のＬＥＤ７、または、リモコンマイク装置３０側のＬＥＤ３３の点灯、または、点滅は、後述するように接続コード３４の接続状態、あるいは、マイク選択状態に基づいてシステム制御部６の表示制御手段により制御される。なお、ＬＥＤ７は、録音中に赤色点灯し、再生中に緑色点灯する２色ＬＥＤである。ＬＥＤ３３は、録音中に赤色点灯する単色ＬＥＤである。
【００３５】
次に、本実施形態のリモコンマイク装置３０を含めたＩＣレコーダ２０の制御処理について図２〜４のフローチャートを用いて説明する。
なお、図２は、ＩＣレコーダ２０におけるメインスイッチオン後に実行されるメインルーチンのフローチャートを示す。図３は、上記図２のメインルーチン中に呼び出されるサブルーチン「ＲＥＣ  ＭＯＤＥ」のフローチャートである。図４は、上記図３のサブルーチン「ＲＥＣ  ＭＯＤＥ」中にで呼び出されるサブルーチン「録音処理」のフローチャートである。
【００３６】
ＩＣレコーダ２０にてメインスイッチがオンされ、システム全体に電源電力が供給され、図２のメインルーチンの処理がスタートする。これらの処理のステップは、すべてシステム制御部６の制御のもとで処理がなされる。
【００３７】
ステップＳ１０１で記録，再生に必要な所定の初期設定が行われる。その後、ステップＳ１０２で操作スイッチ群１１のスイッチ状態変化があったか、すなわち、スイッチ操作が行われたか否かがチェックされる。スイッチ操作が行われた場合、ステップＳ１０３からＳ１０７までで各スイッチ別のオンオフをチェックし、対応するサブルーチンが呼び出される。
【００３８】
すなわち、操作スイッチ群１１のうち、録音スイッチ（ＲＥＣ  ＳＷ）がオンされた場合、ステップＳ１０８にジャンプしてサブルーチン「ＲＥＣ  ＭＯＤＥ」が呼び出され、録音モード処理が実行される。再生スイッチ（ＰＬＡＹ  ＳＷ）がオンされた場合、ステップＳ１０９にジャンプしてサブルーチン「ＰＬＡＹ  ＭＯＤＥ」が呼び出され、再生モード処理が実行される。早送りスイッチ（ＦＦ  ＳＷ）がオンされた場合、ステップＳ１１０にジャンプしてサブルーチン「ＦＦ  ＭＯＤＥ」が呼び出され、早送りモード処理が実行される。早戻しスイッチ（ＲＥＷ  ＳＷ）がオンされた場合、ステップＳ１１１にジャンプしてサブルーチン「ＲＥＷ  ＭＯＤＥ」が呼び出され、早戻しモード処理が実行される。メニュースイッチ（ＭＥＮＵ  ＳＷ）がオンされた場合、ステップＳ１１２にジャンプしてサブルーチン「メニュー設定モード」が呼び出され、メニュー設定モード処理が実行される。上記各モード実行後、ステップＳ１０２に戻る。
【００３９】
ステップＳ１０８にてサブルーチン「ＲＥＣ  ＭＯＤＥ」が呼び出されると、図３に示すように、まず、ステップＳ１２１でリモコンマイク３２の本体側外部ジャック１６への接続状態をシステム制御部６で検出し、接続されていれば、ステップＳ１２４へジャンプし、接続されていなければ、ステップＳ１２２に進む。
【００４０】
ステップＳ１２２では、内蔵マイク１で録音していることを示すように本体側ＬＥＤ７を点灯状態とし、ステップＳ１２３で切り替えスイッチ１７を内蔵マイク側に切り替え、内蔵マイク１による録音開始処理がなされる。
【００４１】
ステップＳ１２４にジャンプした場合、リモコンマイク３２で録音していることを示すようにリモコン側ＬＥＤ３３を点灯状態とし、ステップＳ１２５で切り替えスイッチ１７をリモコンマイク側に切り替え、リモコンマイク３２による録音開始処理がなされる。
【００４２】
続いて、ステップＳ１２６に進み、図４のサブルーチン「録音処理」が呼び出され、後述する録音処理が実行される。そして、ステップＳ１２７では録音終了チェックが行われる。すなわち、ストップスイッチ（ＳＴＯＰ  ＳＷ）が操作されたか、記録媒体８の記録メモリ領域不足が検出されたか、電池電圧の低下が検出されたかのいずれかが検出された場合、ステップＳ１２８に進み、録音終了処理が実行され、メインルーチンのステップＳ１０２に戻る。しかし、それらが検出されなかった場合、ステップＳ１２６に戻り、録音が続行される。
【００４３】
ステップＳ１２６で呼び出されるサブルーチン「録音処理」においては、図４に示すように、まず、ステップＳ１３１にてリモコンマイク３２が接続コードを介して外部ジャック１６へ挿入されたかどうかをシステム制御部６でチェックする。リモコンマイク３２の挿入が検出された場合、ステップＳ１３２に進み、リモコンマイク３２の挿入が検出されなかった場合、ステップＳ１３６に進む。ステップＳ１３６では、さらに、リモコンマイク３２が外部ジャック１６から抜去されたかをシステム制御部６でチェックし、抜去された場合、ステップＳ１３７に進む。抜去されなかった場合、リモコンマイク３２の接続状態の変化がなかったものとしてステップＳ１４０にジャンプする。
【００４４】
ステップＳ１３２では、リモコンマイク３２からの音声信号を入力できるように切り替えスイッチ１７がシステム制御部６により切り替えられる。そして、ステップＳ１３３にて本体側ＬＥＤ７を消灯させ、ステップＳ１３４でリモコン側ＬＥＤ３３を点灯させて、リモコンマイク３２で録音していることを示す表示状態とする。ステップＳ１３５でリモコンマイク３２による録音開始処理がなされ、ステップＳ１４０に進む。
【００４５】
ステップＳ１３７に進んだ場合、内蔵マイク１で入力される音声信号を入力できるように切り替えスイッチ１７がシステム制御部６により切り替えられ、ステップＳ１３８にてリモコン側ＬＥＤ３３を消灯させ、さらに、本体側ＬＥＤ７を点灯させて、内蔵マイク１で録音していることを示す表示状態とする。ステップＳ１３９で内蔵マイク１による録音開始処理がなされ、ステップＳ１４０に進む。
【００４６】
ステップＳ１４０にて音声入力信号のエンコード処理がなされ、ステップＳ１４１にて音声信号が記録媒体８に書き込まれ、サブルーチン「ＲＥＣ  ＭＯＤＥ」のステップＳ１２７に戻る。
【００４７】
上述したように本実施形態のＩＣレコーダ２０においては、リモコンマイク３２が接続されない状態では、本体側ＬＥＤ７を点灯させた状態で内蔵マイク１からの音声信号が記録されるが、リモコンマイク３２が接続されている状態では、リモコン側ＬＥＤ３３を点灯させた状態でリモコンマイク３２からの音声信号が記録される。さらに、上記記録動作中にリモコンマイク３２が接続、または、抜去された場合には、リモコンマイク３２、または、内蔵マイク１からの音声が記録されるように切り替えられ、同時にその記録状態に合わせてリモコン側ＬＥＤ３３、または、本体側ＬＥＤ７を点灯させる。したがって、使用しているマイク側を容易に認識することができ、使い勝手が向上する。
【００４８】
次に、本発明の第２の実施形態のＩＣレコーダについて、図５を用いて説明する。
図５は、本実施形態のＩＣレコーダにおけるサブルーチン「録音処理」のフローチャートである。
【００４９】
本実施形態のＩＣレコーダおよびそのＩＣレコーダに接続可能なリモコンマイク装置は、図１に示した第１の実施形態のＩＣレコーダ２０およびリモコンマイク装置３０と同様の構成を有するが、特に本実施形態においては、制御処理のメインルーチン中のサブルーチン「ＲＥＣ  ＭＯＤＥ」のステップＳ１２６（図３）で呼び出されるサブルーチン「録音処理」が図４に示した第１の実施形態でのサブルーチン「録音処理」と異なる。また、本実施形態におけるシステム制御部６には、録音開始時に内蔵マイク１を用いたのか、あるいは、リモコンマイク３２を用いたのかを示す情報、すなわち、切り替えスイッチ１７のどちらを選択したのかを示す情報を保持記憶する保持手段をさらに内蔵している。以下、同様の構成部材には同一の符号を付し、異なる上記サブルーチン「録音処理」について説明する。
【００５０】
本実施形態におけるサブルーチン「録音処理」では、図５に示すようにまず、ステップＳ１５１にてリモコンマイク３２が外部ジャック１６へ挿入されたかどうかをシステム制御部６でチェックし、リモコンマイク３２の挿入が検出された場合、ステップＳ１５２に進み、リモコンマイク３２の挿入が検出されなかった場合、ステップＳ１５７にジャンプする。
【００５１】
ステップＳ１５２では、現在書き込み中のファイルをチェックしてリモコンマイク３２での録音がなされている形跡（リモコン録音部分）が存在するかをシステム制御部６の上記保持手段の情報を参照してチェックする。即ち、現在リモコンマイク３２で録音しているか、あるいは、録音初期にリモコンマイク３２による録音を行っていたことがあるかをチェックする。リモコンマイク３２による録音を行っているか、あるいは、その録音部分が存在している場合、すなわち、録音開始時、リモコンマイク３２で録音された場合には、ステップＳ１５３に進むが、上記録音部分が存在していない場合、すなわち、録音開始時、内蔵マイク１による録音であった場合には、ステップＳ１５７にジャンプする。即ち、リモコンマイク３２による録音状態に切り替えられることなく、ステップＳ１５７にジャンプする。
【００５２】
ステップＳ１５３では、リモコンマイク３２から入力される音声信号を記録する状態に切り替えスイッチ１７が切り替えられる。ステップＳ１５４にて本体側ＬＥＤ７を消灯させ、内蔵マイク１で録音していない表示状態とし、さらに、ステップＳ１５５でリモコン側ＬＥＤ３３を点灯させ、リモコンマイク３２で録音している表示状態とする。そして、ステップＳ１５６でリモコンマイク３２による録音開始処理がなされる。
【００５３】
その後、ステップＳ１４０にて音声入力信号のエンコード処理がなされ、ステップＳ１４１にて音声信号が記録媒体８に書き込まれ、図３のサブルーチン「ＲＥＣ  ＭＯＤＥ」のステップＳ１２７に戻る。
【００５４】
この第２実施形態のＩＣレコーダによると、第１の実施形態のＩＣレコーダ２０による効果に加えてさらに、録音開始時に内蔵マイク１による録音がなされた場合には、途中でリモコンマイク３２が接続されたとしても、リモコンマイク３２による録音には切り替わらないように制御される。従って、リモコンマイク接続に伴う雑音の発生、あるいは、録音の中断（音声の途切れ）がなく、また、録音開始時が内蔵マイク録音であれば、内蔵マイクからの録音のみに限定されることから、録音内容に紛らわしさがなくなる。
【００５５】
次に、本発明の第３の実施形態のＩＣレコーダについて、図６を用いて説明する。
図６は、本実施形態のＩＣレコーダにおけるサブルーチン「ＲＥＣ  ＭＯＤＥ」のフローチャートである。
【００５６】
本実施形態のＩＣレコーダおよびそのＩＣレコーダに接続可能なリモコンマイク装置は、図１に示した第１の実施形態のＩＣレコーダ２０およびリモコンマイク装置３０と同様の構成を有するが、記録制御処理のメインルーチンで呼び出されるサブルーチン「ＲＥＣ  ＭＯＤＥ」が異なる。したがって、同様の構成部材に同一の符号を付し、以下、異なる上記サブルーチン「ＲＥＣ  ＭＯＤＥ」について説明する。
【００５７】
図２のメインルーチンのステップＳ１０８で呼び出される本実施形態におけるサブルーチン「ＲＥＣ  ＭＯＤＥ」では、図６に示すようにステップＳ１６１からＳ１６５までは、図３のサブルーチン「ＲＥＣ  ＭＯＤＥ」におけるステップＳ１２１からＳ１２５までの処理内容と同一である。
【００５８】
ステップＳ１６６でサブルーチン「録音処理」が呼び出されるが、この録音処理は、図４に示した第１実施形態におけるサブルーチン「録音処理」に対して、ステップＳ１３６のリモコンマイク３２が外部ジャック１６から抜去されたかをチェックするステップがない処理である。したがって、図４のステップＳ１３１でリモコンマイク３２の外部ジャック１６への挿入チェックで、リモコンマイク３２の挿入が検出されなかった場合、ステップＳ１３７に直接進む。この処理以外は、図４のサブルーチン「録音処理」と同様の処理がなされる。
【００５９】
続いて、ステップＳ１６７において、リモコンマイク３２が外部ジャック１６から抜去されたかをシステム制御部６でチェックする。抜去された場合、ステップＳ１６９にジャンプし、録音終了処理が実行され、録音動作を終了して図２のメインルーチンのステップＳ１０２に戻る。抜去されなかった場合、ステップＳ１６８に進む。
【００６０】
ステップＳ１６８では録音終了チェックが行われる。すなわち、ストップスイッチ（ＳＴＯＰ  ＳＷ）が操作されたか、記録媒体８の記録メモリ領域不足が検出されたか、電池電圧の低下が検出されたかのいずれかが検出された場合、ステップＳ１６９に進み、録音終了処理が実行され、図２のメインルーチンのステップＳ１０２に戻る。しかし、それらが検出されなかった場合、ステップＳ１６６に戻り、録音が続行される。
【００６１】
この第３実施形態のＩＣレコーダによると、第１の実施形態のＩＣレコーダ２０による効果に加えてさらに、リモコンマイク３２で録音中にリモコンマイク３２が抜去された場合、直ちに録音動作が終了するようにしたので、リモコンマイク３２による録音データのみを自動的に区分した状態で同一ファイルに記録することができる。
【００６２】
次に、本発明の第４の実施形態の音声入力装置であるＩＣレコーダについて、図７，８を用いて説明する。
図７は、本実施形態のＩＣレコーダにおけるメインスイッチオン後に実行されるメインルーチンのフローチャートを示す。図８は、上記メインルーチン中に呼び出されるサブルーチン「マイク切り替え処理」のフローチャートである。
【００６３】
本実施形態のＩＣレコーダ、および、該ＩＣレコーダに接続可能なリモコンマイク装置の構成は、図１に示した第１の実施形態のＩＣレコーダ２０およびリモコンマイク装置３０と同様の構成を有するが、特に本実施形態においては、第１の実施形態における制御処理のメインルーチンの一部が異なる。即ち、図２に示すメインルーチンに対して図７に示すようにメインルーチンのステップＳ１８３，１８４が追加され、そこで、図８のサブルーチン「マイク切り替え処理」が呼び出される。以下、同様の構成部材に同一の符号を付し、制御処理の異なる部分について説明する。
【００６４】
本実施形態にのＩＣレコーダにおいては、図７のフローチャートに示すようにステップＳ１７１からＳ１８２までの処理は、図２のメインルーチンにおけるステップＳ１０１からステップＳ１１２までの処理と同様の処理が行われる。そして、本ルーチンでは、ステップＳ１７８からＳ１８２の処理後、ステップＳ１８３に進む。
【００６５】
ステップＳ１８３では、リモコンマイク３２が挿抜されたかを外部ジャック１６の状態によりシステム制御部６でチェックする。挿抜された場合、ステップＳ１８４にジャンプしてサブルーチン「マイク切り替え処理」が呼び出される。挿抜されなかった場合、そのままステップＳ１７２に戻る。
【００６６】
ステップＳ１８４でサブルーチン「マイク切り替え処理」が呼び出された場合、図８に示すようにステップＳ１９１にてリモコンマイク３２が挿入されたかを外部ジャック１６の状態によりシステム制御部６でチェックする。挿入された場合、ステップＳ１９２に進み、挿入されなかった場合、ステップＳ１９３にジャンプする。ステップＳ１９３では、リモコンマイク３２が抜去されたかを外部ジャック１６の状態によりシステム制御部６でチェックする。抜去された場合、ステップＳ１９４に進む。抜去されなかった場合は、そのまま、メインルーチンに戻る。
【００６７】
ステップＳ１９２では、リモコンマイク３２が挿入接続されたことを表示するためにリモコン側ＬＥＤ３３を２秒間、点灯させてメインルーチンに戻り、ステップＳ１７２以下の処理が行われる。
【００６８】
ステップＳ１９４では、リモコンマイク３２が抜去されたことを表示するために本体側ＬＥＤ７を２秒間、点灯させてメインルーチンに戻り、ステップＳ１７２以下の処理が行われる。
【００６９】
上述したように本実施形態のＩＣレコーダによると、第１の実施形態における効果に加えて、さらに、録音が行われていないときでもリモコンマイク３２を抜去、または、挿入したとき、そのリモコンマイク３２が抜去、または、挿入されたことを本体側ＬＥＤ７、または、リモコン側ＬＥＤ３３を短時間だけ点灯させることにより、録音の開始した場合、どちらのマイクが有効に働くのかを使用者に確実に認識させることができ、録音ミスを防止することができる。
【００７０】
【発明の効果】
以上、説明したように本発明によれば、録音が確実に実行されているか、また、本体側マイクと外部マイクのいずれが有効に働いているかをユーザーに確実に認識せることができる音声入力装置を提供することができる。
【図面の簡単な説明】
【図１】本発明の第１の実施形態である音声入力装置のＩＣレコーダおよび該ＩＣレコーダに接続可能なリモコンマイク装置のブロック構成図である。
【図２】図１のＩＣレコーダにおける制御処理のメインルーチンのフローチャートである。
【図３】図２のメインルーチンの中で呼び出されるサブルーチン「ＲＥＣ  ＭＯＤＥ」のフローチャートである。
【図４】図３のサブルーチン「ＲＥＣ  ＭＯＤＥ」の中で呼び出されるサブルーチン「録音処理」のフローチャートである。
【図５】本発明の第２の実施形態であるＩＣレコーダにおけるサブルーチン「録音処理」のフローチャートである。
【図６】本発明の第３の実施形態であるＩＣレコーダにおけるサブルーチン「ＲＥＣ  ＭＯＤＥ」のフローチャートである。
【図７】本発明の第４の実施形態であるＩＣレコーダにおける制御処理のメインルーチンのフローチャートである。
【図８】図７のメインルーチンで呼び出されるサブ「マイク切り替え処理」のフローチャートである。
【符号の説明】
１  …内蔵マイク
６  …システム制御部
（記録手段，表示手段，指示手段，
受信手段，保持手段，制御手段）
７  …本体側ＬＥＤ
（第１のインジケータ，表示手段）
１０  …ＬＣＤ表示部（情報表示装置）
１６  …外部ジャック（接続部）
１７  …切り替えスイッチ（選択手段）
２１  …ＩＣレコーダ本体（音声入力装置本体）
３０  …リモコンマイク装置（外部マイク本体）
３２  …リモコンマイク（外部マイク）
３３  …リモコン側ＬＥＤ
（第２のインジケータ，表示手段）
【図１】
2004312637.tif 000003
【図２】
2004312637.tif 000004
【図３】
2004312637.tif 000005
【図４】
2004312637.tif 000006
【図５】
2004312637.tif 000007
【図６】
2004312637.tif 000008
【図７】
2004312637.tif 000009
【図８】
2004312637.tif 000010